(57)【要約】【課題】表示画面上の地図に表示されたイベントに関する案内を行うイベント情報案内装置、イベント情報案内システム、イベント情報案内方法及びプログラムにおいて、地図の表示範囲内に含まれるイベントに応じた案内を行う。【解決手段】本発明のイベント情報案内装置１０は、中心位置情報と縮尺情報とに基づいて地図情報の表示範囲を設定する表示範囲設定部１２０と、表示範囲情報と位置情報とに基づいて地図情報の表示範囲内に含まれるイベントを検索するイベント検索部１３０と、検索されたイベントについてのイベント情報を他の機器２０に表示させるイベント情報表示制御部１４０と、検索されたイベントのイベント情報に含まれるイベントの案内に関する案内情報の中から特定のイベントの案内情報を選択する案内情報選択部１５０と、選択された案内情報を他の機器２０に表示させる案内情報表示制御部１６０と、を備える。【選択図】図２
2009211633.tif 000002
【特許請求の範囲】
【請求項１】
旅行中に行われ得るイベントのうち、表示画面に表示された地図情報の表示範囲内に含まれる前記イベントについて、当該イベントの名称及び位置情報を含むイベント情報を案内するイベント情報案内装置であって、
表示される前記地図情報の中心位置を示す中心位置情報と、表示される前記地図情報の縮尺を示す縮尺情報とに基づいて、前記地図情報の表示範囲を設定する表示範囲設定部と、
前記イベント情報を記憶するイベント情報記憶部と、
前記地図情報の表示範囲を示す表示範囲情報と、前記イベント情報記憶部に記憶されている前記位置情報とに基づいて、前記地図情報の表示範囲内に含まれる前記イベントを検索するイベント検索部と、
検索された前記イベントについての前記イベント情報を、ネットワークを介して前記イベント情報案内装置に接続可能な他の機器に表示させるイベント情報表示制御部と、
検索された前記イベントの前記イベント情報に含まれる前記イベントの案内に関する案内情報の中から、特定の前記イベントの前記案内情報を選択する案内情報選択部と、
選択された前記案内情報を前記他の機器に表示させる案内情報表示制御部と、
を備えることを特徴とする、イベント情報案内装置。
【請求項２】
前記案内情報選択部は、前記表示範囲情報が変更されると、前記案内情報を新たに選択することを特徴とする、請求項１に記載のイベント情報案内装置。
【請求項３】
前記案内情報選択部は、
検索された前記イベントの前記イベント情報に含まれる前記イベントを特定するためのイベントＩＤに基づいて、前記イベントの優先度を決定する優先度決定部と、
前記優先度決定部により決定された前記優先度に基づいて、前記優先度の最も高い前記イベントの前記案内情報を選択する選択部と、
を有することを特徴とする、請求項２に記載のイベント情報案内装置。
【請求項４】
前記案内情報選択部は、
１または２以上の前記他の機器による前記イベント情報の選択回数に基づいて、前記イベントの優先度を決定する優先度決定部と、
前記優先度決定部により決定された前記優先度に基づいて、前記優先度の最も高い前記イベントの前記案内情報を選択する選択部と、
を有することを特徴とする、請求項２に記載のイベント情報案内装置。
【請求項５】
前記案内情報選択部は、
特定の前記他の機器による前記イベント情報の選択回数に基づいて、前記イベントの優先度を決定する優先度決定部と、
前記優先度決定部により決定された前記優先度に基づいて、前記優先度の最も高い前記イベントの前記案内情報を選択する選択部と、
を有することを特徴とする、請求項２に記載のイベント情報案内装置。
【請求項６】
前記案内情報選択部は、
各前記イベントの前記案内情報を優先的に表示させる優先度を示す優先度情報を生成する優先度情報生成部と、
生成された前記優先度情報に基づいて、前記優先度の最も高い前記イベントの前記案内情報を選択する選択部と、
を有することを特徴とする、請求項２に記載のイベント情報案内装置。
【請求項７】
前記優先度情報生成部は、前記表示範囲情報の変更に応じて前記優先度情報を変更することを特徴とする、請求項６に記載のイベント情報案内装置。
【請求項８】
前記案内情報選択部により選択される前記特定のイベントについての前記イベント情報は、複数の前記案内情報を含み、
前記案内情報選択部は、前記表示範囲情報に応じて、複数の前記案内情報の中から１の前記案内情報を選択することを特徴とする、請求項２に記載のイベント情報案内装置。
【請求項９】
前記案内情報選択部は、前記他の機器により前記特定のイベントが選択された場合に、前記他の機器により選択された前記イベントについての前記案内情報を選択することを特徴とする、請求項２に記載のイベント情報案内装置。
【請求項１０】
旅行中に行われ得るイベントのうち表示画面に表示された地図情報の表示範囲内に含まれる前記イベントについて当該イベントの名称及び位置情報を含むイベント情報を案内するイベント情報案内装置と、前記イベント情報案内装置にネットワークを介して接続可能な１又は２以上の端末装置と、を備えるイベント情報案内システムであって、
前記イベント情報案内装置は、
表示される前記地図情報の中心位置を示す中心位置情報、及び、表示される前記地図情報の縮尺を示す縮尺情報を、前記端末装置から取得する情報取得部と、
前記中心位置情報及び前記縮尺情報に基づいて、前記地図情報の表示範囲を設定する表示範囲設定部と、
前記イベント情報を記憶するイベント情報記憶部と、
前記地図情報の表示範囲を示す表示範囲情報と、前記イベント情報記憶部に記憶されている前記位置情報とに基づいて、前記地図情報の表示範囲内に含まれる前記イベントを検索するイベント検索部と、
検索された前記イベントについての前記イベント情報を、ネットワークを介して前記イベント情報案内装置に接続可能な他の機器に表示させるイベント情報表示制御部と、
検索された前記イベントの前記イベント情報に含まれる前記イベントの案内に関する案内情報の中から、特定の前記イベントの前記案内情報を選択する案内情報選択部と、
選択された前記案内情報を前記他の機器に表示させる案内情報表示制御部と、
を備え、
前記端末装置は、
前記中心位置情報及び前記縮尺情報を、前記イベント情報案内装置に提供する情報提供部と、
前記イベント検索部により検索された前記イベントについての前記イベント情報と、前記案内情報選択部により選択された前記案内情報と、を表示する表示部と、
を備えることを特徴とする、イベント情報案内システム。
【請求項１１】
旅行中に行われ得るイベントのうち、表示画面に表示された地図情報の表示範囲内に含まれる前記イベントについて、当該イベントの名称及び位置情報を含むイベント情報を案内するイベント情報案内方法であって、
表示される前記地図情報の中心位置を示す中心位置情報と、表示される前記地図情報の縮尺を示す縮尺情報とに基づいて、前記地図情報の表示範囲を設定する表示範囲設定ステップと、
前記地図情報の表示範囲を示す表示範囲情報と、前記イベント情報を記憶するイベント情報記憶部に記憶されている前記位置情報とに基づいて、前記地図情報の表示範囲内に含まれる前記イベントを検索するイベント検索ステップと、
検索された前記イベントの前記イベント情報に含まれる前記イベントの案内に関する案内情報の中から、特定の前記イベントの前記案内情報を選択する案内情報選択ステップと、
検索された前記イベントについての前記イベント情報、及び、選択された前記案内情報を、ネットワークを介して前記イベント情報案内装置に接続可能な他の機器に表示させる情報表示ステップと、
を含むことを特徴とする、イベント情報案内方法。
【請求項１２】
コンピュータを、旅行中に行われ得るイベントのうち、表示画面に表示された地図情報の表示範囲内に含まれる前記イベントについて、当該イベントの名称及び位置情報を含むイベント情報を案内するイベント情報案内装置として機能させるためのプログラムであって、
表示される前記地図情報の中心位置を示す中心位置情報と、表示される前記地図情報の縮尺を示す縮尺情報とに基づいて、前記地図情報の表示範囲を設定する表示範囲設定部と、
前記イベント情報を記憶するイベント情報記憶部と、
前記地図情報の表示範囲を示す表示範囲情報と、前記イベント情報記憶部に記憶されている前記位置情報とに基づいて、前記地図情報の表示範囲内に含まれる前記イベントを検索するイベント検索部と、
検索された前記イベントについての前記イベント情報を、ネットワークを介して前記イベント情報案内装置に接続可能な他の機器に表示させるイベント情報表示制御部と、
検索された前記イベントの前記イベント情報に含まれる前記イベントの案内に関する案内情報の中から、特定の前記イベントの前記案内情報を選択する案内情報選択部と、
選択された前記案内情報を前記他の機器に表示させる案内情報表示制御部と、
して機能させるためのプログラム。
【発明の詳細な説明】
【技術分野】
【０００１】
本発明は、イベント情報案内装置、イベント情報案内システム、イベント情報案内方法、及びプログラムに関する。
【背景技術】
【０００２】
従来から、ディスプレイ等の表示手段を有する電子機器の表示画面に表示される地図について、その中心位置や縮尺に応じて地図上に表示される情報を変更することが行われている（例えば、特許文献１を参照）。
【０００３】
【特許文献１】特開２００５−８３９９６号公報
【発明の開示】
【発明が解決しようとする課題】
【０００４】
しかしながら、特許文献１に記載された技術においては、地図の中心位置や縮尺に応じて変更される情報は、例えば、建物Ａが地図の縮尺が１０万分の１では表示されるが、２５万分の１では表示されない、といった建物Ａを示すアイコン等のイベント自体の表示の有無に関するものであり、そのとき地図上に表示されている（地図の表示範囲内に含まれる）イベントに応じて、旅行者にアナウンスされる各種情報の案内（例えば、固有のイベントの情報の案内だけでなく、その地域で特にアピールしたい情報などの案内）をすることができない、という問題があった。
【０００５】
そこで、本発明は、このような問題に鑑みてなされたもので、表示画面上の地図に表示されたイベントに関する案内を行うイベント情報案内装置、イベント情報案内システム、イベント情報案内方法、及びプログラムにおいて、地図の表示範囲内に含まれるイベントの内容に応じて、旅行者にアナウンスされる各種情報の案内を行うことを目的とする。
【課題を解決するための手段】
【０００６】
上記課題を解決するために、本発明のある観点によれば、旅行中に行われ得るイベントのうち、表示画面に表示された地図情報の表示範囲内に含まれる前記イベントについて、当該イベントの名称及び位置情報を含むイベント情報を案内するイベント情報案内装置が提供される。このイベント情報案内装置は、表示される前記地図情報の中心位置を示す中心位置情報と、表示される前記地図情報の縮尺を示す縮尺情報とに基づいて、前記地図情報の表示範囲を設定する表示範囲設定部と、前記イベント情報を記憶するイベント情報記憶部と、前記地図情報の表示範囲を示す表示範囲情報と、前記イベント情報記憶部に記憶されている前記位置情報とに基づいて、前記地図情報の表示範囲内に含まれる前記イベントを検索するイベント検索部と、検索された前記イベントについての前記イベント情報を、ネットワークを介して前記イベント情報案内装置に接続可能な他の機器に表示させるイベント情報表示制御部と、検索された前記イベントの前記イベント情報に含まれる前記イベントの案内に関する案内情報の中から、特定の前記イベントの前記案内情報を選択する案内情報選択部と、選択された前記案内情報を前記他の機器に表示させる案内情報表示制御部と、を備える。
【０００７】
ここで、前記案内情報選択部は、前記表示範囲情報が変更されると、前記案内情報を新たに選択するようにしてもよい。
【０００８】
また、前記案内情報選択部は、検索された前記イベントの前記イベント情報に含まれる前記イベントを特定するためのイベントＩＤに基づいて、前記イベントの優先度を決定する優先度決定部と、前記優先度決定部により決定された前記優先度に基づいて、前記優先度の最も高い前記イベントの前記案内情報を選択する選択部と、を有していてもよい。
【０００９】
また、前記案内情報選択部は、１または２以上の前記他の機器による前記イベント情報の選択回数に基づいて、前記イベントの優先度を決定する優先度決定部と、前記優先度決定部により決定された前記優先度に基づいて、前記優先度の最も高い前記イベントの前記案内情報を選択する選択部と、を有していてもよい。
【００１０】
また、前記案内情報選択部は、特定の前記他の機器による前記イベント情報の選択回数に基づいて、前記イベントの優先度を決定する優先度決定部と、前記優先度決定部により決定された前記優先度に基づいて、前記優先度の最も高い前記イベントの前記案内情報を選択する選択部と、を有していてもよい。
【００１１】
また、前記案内情報選択部は、各前記イベントの前記案内情報を優先的に表示させる優先度を示す優先度情報を生成する優先度情報生成部と、生成された前記優先度情報に基づいて、前記優先度の最も高い前記イベントの前記案内情報を選択する選択部と、を有していてもよい。
【００１２】
この場合に、前記優先度情報生成部は、前記表示範囲情報の変更に応じて前記優先度情報を変更するようにしてもよい。
【００１３】
また、前記案内情報選択部により選択される前記特定のイベントについての前記イベント情報は、複数の前記案内情報を含み、前記案内情報選択部は、前記表示範囲情報に応じて、複数の前記案内情報の中から１の前記案内情報を選択するようにしてもよい。
【００１４】
また、前記案内情報選択部は、前記他の機器により前記特定のイベントが選択された場合に、前記他の機器により選択された前記イベントについての前記案内情報を選択するようにしてもよい。
【００１５】
上記課題を解決するために、本発明の他の観点によれば、旅行中に行われ得るイベントのうち表示画面に表示された地図情報の表示範囲内に含まれる前記イベントについて当該イベントの名称及び位置情報を含むイベント情報を案内するイベント情報案内装置と、前記イベント情報案内装置にネットワークを介して接続可能な１又は２以上の端末装置と、を備えるイベント情報案内システムが提供される。このイベント情報案内システムにおいて、前記イベント情報案内装置は、表示される前記地図情報の中心位置を示す中心位置情報、及び、表示される前記地図情報の縮尺を示す縮尺情報を、前記端末装置から取得する情報取得部と、前記中心位置情報及び前記縮尺情報に基づいて、前記地図情報の表示範囲を設定する表示範囲設定部と、前記イベント情報を記憶するイベント情報記憶部と、前記地図情報の表示範囲を示す表示範囲情報と、前記イベント情報記憶部に記憶されている前記位置情報とに基づいて、前記地図情報の表示範囲内に含まれる前記イベントを検索するイベント検索部と、検索された前記イベントについての前記イベント情報を、ネットワークを介して前記イベント情報案内装置に接続可能な他の機器に表示させるイベント情報表示制御部と、検索された前記イベントの前記イベント情報に含まれる前記イベントの案内に関する案内情報の中から、特定の前記イベントの前記案内情報を選択する案内情報選択部と、選択された前記案内情報を前記他の機器に表示させる案内情報表示制御部と、を備え、前記端末装置は、前記中心位置情報及び前記縮尺情報を、前記イベント情報案内装置に提供する情報提供部と、前記イベント検索部により検索された前記イベントについての前記イベント情報と、前記案内情報選択部により選択された前記案内情報と、を表示する表示部と、を備える。
【００１６】
上記課題を解決するために、本発明のさらに他の観点によれば、旅行中に行われ得るイベントのうち、表示画面に表示された地図情報の表示範囲内に含まれる前記イベントについて、当該イベントの名称及び位置情報を含むイベント情報を案内するイベント情報案内方法が提供される。このイベント情報案内方法は、表示される前記地図情報の中心位置を示す中心位置情報と、表示される前記地図情報の縮尺を示す縮尺情報とに基づいて、前記地図情報の表示範囲を設定する表示範囲設定ステップと、前記地図情報の表示範囲を示す表示範囲情報と、前記イベント情報を記憶するイベント情報記憶部に記憶されている前記位置情報とに基づいて、前記地図情報の表示範囲内に含まれる前記イベントを検索するイベント検索ステップと、検索された前記イベントの前記イベント情報に含まれる前記イベントの案内に関する案内情報の中から、特定の前記イベントの前記案内情報を選択する案内情報選択ステップと、検索された前記イベントについての前記イベント情報、及び、選択された前記案内情報を、ネットワークを介して前記イベント情報案内装置に接続可能な他の機器に表示させる情報表示ステップと、を含む。
【００１７】
上記課題を解決するために、本発明のさらに他の観点によれば、コンピュータを、旅行中に行われ得るイベントのうち、表示画面に表示された地図情報の表示範囲内に含まれる前記イベントについて、当該イベントの名称及び位置情報を含むイベント情報を案内するイベント情報案内装置として機能させるためのプログラムが提供される。このプログラムは、表示される前記地図情報の中心位置を示す中心位置情報と、表示される前記地図情報の縮尺を示す縮尺情報とに基づいて、前記地図情報の表示範囲を設定する表示範囲設定部と、前記イベント情報を記憶するイベント情報記憶部と、前記地図情報の表示範囲を示す表示範囲情報と、前記イベント情報記憶部に記憶されている前記位置情報とに基づいて、前記地図情報の表示範囲内に含まれる前記イベントを検索するイベント検索部と、検索された前記イベントについての前記イベント情報を、ネットワークを介して前記イベント情報案内装置に接続可能な他の機器に表示させるイベント情報表示制御部と、検索された前記イベントの前記イベント情報に含まれる前記イベントの案内に関する案内情報の中から、特定の前記イベントの前記案内情報を選択する案内情報選択部と、選択された前記案内情報を前記他の機器に表示させる案内情報表示制御部と、して機能させるためのプログラムである。
【００１８】
以上のような本発明に係るイベント情報案内装置、イベント情報案内システム、イベント情報案内方法及びプログラムよれば、イベント情報案内装置にネットワークを介して接続可能な他の機器（端末装置）の表示画面に表示された（表示範囲内に含まれる）イベントに応じた案内を行うことができる。
【発明の効果】
【００１９】
本発明によれば、表示画面上の地図に表示されたイベントに関する案内を行うイベント情報案内装置、イベント情報案内システム、イベント情報案内方法、及びプログラムにおいて、表示範囲情報に基づいて、地図上に表示するイベントの検索や、地図上に表示されるイベントの案内情報の選択を行うことにより、地図の表示範囲内に含まれるイベントに応じた案内を行うことが可能となる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
［第１の実施形態］
（イベント情報案内システム１の全体構成）
まず、図１に基づいて、本発明の第１の実施形態に係るイベント情報案内システム１の全体構成について説明する。なお、図１は、本発明の第１の実施形態に係るイベント情報案内システム１の全体構成を示す説明図である。
【００２２】
イベント情報案内システム１は、旅行中に行われ得るイベントのうち、表示画面に表示された地図情報の表示範囲内に含まれるイベントについて、当該イベントの名称及び位置情報を含むイベント情報を案内するシステムである。具体的には、イベント情報案内システム１では、図１に示すように、イベント情報案内装置１０と、旅行者端末２０−１、２０−２（以下、まとめて「旅行者端末２０」と称する場合がある。）とが、インターネット、ＬＡＮ、ＷＡＮ等のネットワーク５を介して接続されている。
【００２３】
＜イベント情報案内装置１０について＞
イベント情報案内装置１０は、ネットワーク５を介して接続される旅行者端末２０−１、２０−２等の旅行者端末２０の要求に応じて、表示画面に表示された地図情報の表示範囲内に含まれるイベントについて、当該イベントの名称及び位置情報を含むイベント情報を案内する。このイベント情報案内装置１０はまた、他のサーバ、例えば、イベントに関する情報や他の旅行に関連する情報を記憶してネットワーク５上に公開しているサーバ（図示せず）に対して、ネットワーク５を介して接続することもできる。従って、イベント情報案内装置１０は、他のサーバから得た情報を用いて案内情報の提供を行うことも可能である。
【００２４】
このイベント情報案内装置１０は、記憶部１１０を有しており、イベント情報、地図情報、及び表示範囲情報等を記憶部１１０に記憶させている。イベント情報は、少なくともイベントの名称及びそのイベントの位置情報を含む情報であり、例えば、当該イベントを識別するためのイベントＩＤ、当該イベントの名称、当該イベントが存在する（あるいは行われる）位置情報、当該イベントに関する案内情報等を含む。
【００２５】
ここで、本実施形態におけるイベントとは、例えば、旅行者が旅行中に実行することができる行事等を意味し、より具体的には、宿泊施設への宿泊や、飲食店での飲食や、お祭りへの参加及び見学や、スキー、テニス等のスポーツや、アトラクションへの参加や、演奏会等の催し物の見学や、博物館、お寺、教会、景勝地及び史跡等の観光地への訪問や、ＳＬ、トロッコ列車、遊覧船、渓流下り、ラフティング等の観光等の対象となる観光用乗り物への乗車、などを意味する。本実施形態におけるイベントは、さらに、観光地自体、宿泊施設自体、食事施設自体、演奏会等の催し物自体をも含む。
【００２６】
また、位置情報とは、上述したようなイベントが実行される位置を示す情報であり、例えば、緯度・経度、住所、郵便番号、公共施設名（駅名、空港名等）などにより示すことができる。
【００２７】
また、イベント情報には、イベントの開催時間等を示す時間情報が含まれていてもよい。このようなイベント情報の詳細については後述する。
【００２８】
地図情報は、旅行者端末２０等のネットワーク５を介してイベント情報案内装置１０に接続可能な機器の表示画面に表示する地図に関する情報である。この地図情報には、地形に関する情報、地名に関する情報、その地名の位置情報（例えば、緯度・経度）に関する情報、各種施設に関する情報等が含まれる。
【００２９】
表示範囲情報は、旅行者端末２０等のネットワーク５を介してイベント情報案内装置１０に接続可能な機器の表示画面に表示する地図の表示範囲を表す情報である。この表示範囲情報は、表示される地図の中心位置についての位置情報（例えば、緯度・経度等）と、その地図の縮尺（ＭＡＰスケール）を表す縮尺情報とにより決定される。
【００３０】
また、イベント情報案内装置１０は、上述した他のサーバから取得したイベント情報や地図情報等を記憶部１１０に記憶させてもよい。
【００３１】
＜旅行者端末２０について＞
旅行者端末２０は、上述したイベント情報案内装置１０にネットワーク５を介して接続され、表示画面に表示される地図の表示範囲を指定することにより、イベント情報案内装置１０から案内情報の提供を受ける。この旅行者端末２０としては、例えば、図１に示すように、旅行者が所有するパーソナルコンピュータ（ＰＣ）等の情報端末２０−１、旅行者が所有する携帯電話機２０−２など、ネットワークを介してイベント情報案内装置１０に接続される任意の装置が挙げられる。
【００３２】
この旅行者端末２０は、地図の表示範囲をしている際には、表示画面に表示される地図の中心位置についての位置情報（例えば、緯度・経度等）と、その地図の縮尺を表す縮尺情報とを決定して、これらの情報をイベント情報案内装置１０に対して送信する。中心位置情報及び縮尺情報を受信したイベント情報案内装置１０では、これらの情報から旅行者端末２０に表示させる地図の表示範囲を設定する。そして、上述したように、イベント情報案内装置１０は、設定された表示範囲内に含まれるイベントに関する案内情報を選択し、選択された案内情報は、旅行者端末２０の表示画面に表示される。このようにして、旅行者端末２０は、地図の表示範囲に応じた案内情報の提供を受けることができる。
【００３３】
以上、イベント情報案内システム１の全体構成について説明したが、以下、図２に基づいて、イベント情報案内システム１を構成するイベント情報案内装置１０、旅行者端末２０の機能構成について順に説明する。なお、図２は、本実施形態に係るイベント情報案内装置１０の機能構成を示すブロック図である。
【００３４】
（イベント情報案内装置１０の機能構成）
図２に示すように、イベント情報案内装置１０は、記憶部１１０と、表示範囲設定部１２０と、イベント検索部１３０と、イベント情報表示制御部１４０と、案内情報選択部１５０と、案内情報表示制御部１６０と、を主に有する。
【００３５】
＜記憶部１１０について＞
記憶部１１０は、本実施形態に係るイベント情報記憶部の機能をも有するものであり、少なくとも上述したイベント情報が記憶されており、この他にも、例えば、地図情報や表示範囲情報などが記憶されている。また、記憶部１１０には、各イベントが旅行者端末２０により選択された回数（各イベントへのアクセス数）が記憶されてもよい。
【００３６】
＜イベント情報について＞
ここで、図３及び図４に基づいて、記憶部１１０に記憶されているイベント情報の内容について詳細に説明する。なお、図３は及び図４は、本実施形態に係るイベント情報の内容を示す説明図である。
【００３７】
イベント情報は、上述したように、少なくともイベントの名称及びイベントの位置情報を含む情報であり、図３に示すように、記憶部１１０には、例えば、イベントを識別するためのイベントＩＤに対応する目的地番号と、イベントの名称と、当該イベントの位置情報とが関連付けて記憶されている。具体的には、京東タワーというイベント（観光施設）を識別するための目的地番号が１０１であり、下野動物園というイベント（観光施設）を識別するための目的地番号が１０２であり、浦安ドリームランドというイベント（観光施設）を識別するための目的地番号が１５１であり、秋葉原電気街というイベント（観光地）を識別するための目的地番号が１９９であり、スタジオジビエというイベント（観光施設）を識別するための目的地番号が２００である、といったように記憶されている。また、本実施形態における位置情報とは、各イベントが実行される場所を表す情報であり、例えば、緯度・経度などの情報である。
【００３８】
次に、図４を参照しながら、各イベント情報の詳細について説明する。図４に示すように、例えば、観光情報、宿泊情報、施設情報のような各イベント情報（図４では、イベント情報として、旅行者の目的地に関する情報である目的地情報を例に挙げている。）は、例えば、イベント情報を識別するためのイベントＩＤ（図４では、目的地番号）、イベント情報の名称、イベントが実行される場所の郵便番号、イベントが実行される場所の住所、イベントが実行（開催）される開催時間についての説明文、イベントが実行（開催）される開催時間（イベントの開示時刻及び終了時刻）、イベントに関するリンク情報（リンク先のＵＲＬ等）、イベントが実行される場所の緯度及び経度（位置情報）、イベントを特徴付けるキーワードの配列、イベントの案内情報（アナウンス）等に関する情報を含む。これらの情報が記憶部１１０に記憶される保存形式は、特に限定されないが、図４では、「ｄｅｓｔ．ｘｍｌ」というファイル名で、ＸＭＬ形式で保存されている例を示している。
【００３９】
以上が、イベント情報に含まれる情報の一例である。しかし、ここに挙げた情報は、あくまで一例であり、イベント情報は、上記の情報の幾つかを含まなくてもよく、上記の情報以外の他の情報を含んでもよい。
【００４０】
このようなイベント情報は、予め、外部の機器、例えば、旅行会社や観光団体等の有する端末装置から取得されたものであってもよく、イベント情報案内装置１０に直接入力されたものであってもよい。このようにして取得又は入力されたイベント情報は、記憶部１１０に記録される。
【００４１】
以上、イベント情報の内容について詳細に説明したが、再び、図２に基づいて、本実施形態に係るイベント情報案内装置１０の構成についての説明を続ける。
【００４２】
＜表示範囲設定部１２０について＞
表示範囲設定部１２０は、旅行者端末２０の表示画面に表示される地図情報の中心位置を示す中心位置情報と、表示される地図情報の縮尺を示す縮尺情報とに基づいて、地図情報の表示範囲を設定する。具体的には、例えば、中心位置情報として、旅行者端末２０の表示画面に表示させる地図の中心位置の緯度及び経度を使用し、縮尺情報として、旅行者端末２０の表示画面における地図の表示サイズであるＭＡＰスケールサイズを使用して、地図情報の表示範囲を決定する。ここで、「ＭＡＰスケールサイズ」は、予め定められた地図の拡大率（例えば、最小：１〜最大：１００）の数値で表現されるものとする。また、表示範囲設定部１２０は、表示範囲の設定に用いる中心位置情報及び縮尺情報を、旅行者端末２０から取得する。表示範囲設定部１２０は、設定した地図情報の表示範囲を示す表示範囲情報をイベント検索部１３０に伝送する。この際、表示範囲設定部１２０は、上記表示範囲情報を記憶部１１０に記憶させてもよい。
【００４３】
＜イベント検索部１３０について＞
イベント検索部１３０は、表示範囲設定部１２０又は記憶部１１０から取得した表示範囲情報と、記憶部１１０に記憶されている各イベントの位置情報とに基づいて、地図情報の表示範囲内に含まれるイベントを検索する。より具体的には、イベント検索部１３０は、表示範囲設定部１２０により設定された地図情報の表示範囲内に含まれるイベントを検索する際に、各イベントの位置情報として、例えば、各イベントの緯度及び経度を使用し、そのイベントの緯度及び経度と表示範囲に含まれる緯度及び経度とを比較することにより、当該イベントが表示範囲内に含まれるか否かを判断する。このとき、各イベントの位置情報は、記憶部１１０に記憶されているイベント情報に含まれており、イベント検索部１３０は、例えば、図４に示したような目的地情報一覧ファイルから、各イベントの緯度及び経度に関する情報を取得する。また、イベント検索部１３０は、検索されたイベントについてのイベント情報の一部又は全部をイベント情報表示制御部１４０及び案内情報選択部１５０に伝送する。
【００４４】
＜イベント情報表示制御部１４０について＞
イベント情報表示制御部１４０は、イベント検索部１３０により検索されたイベントについてのイベント情報を、ネットワーク５を介してイベント情報案内装置１０に接続可能な他の機器、すなわち、本実施形態では旅行者端末２０の表示画面上に表示させる。イベント情報表示制御部１４０は、旅行者端末２０に表示させるイベント情報を、イベント検索部１３０から取得してもよい。また、イベント情報表示制御部１４０は、イベント検索部１３０からは、検索されたイベントのイベントＩＤのみを取得し、取得したイベントＩＤを有するイベント情報を記憶部１１０から取得してもよい。
【００４５】
ここで、イベント情報表示制御部１４０が、旅行者端末２０にイベント情報を表示させる態様としては、特に限定はされないが、例えば、イベント検索部１３０により検索された各イベントを、地図上にアイコンとして、該当する位置（例えば、そのイベントの実行場所の緯度・経度に対応する位置）に表示させることができる。この際、検索された複数のイベントのいくつかの実行場所が近い場合には、地図情報の縮尺（例えば、ＭＡＰスケールサイズ）によっては、複数のイベントを示すアイコンが重なって表示される場合がある。このような場合には、イベント情報表示制御部１４０は、例えば、以下の（１）や（２）のような方法により、重なって表示される複数のアイコンの表示順（どのイベントのアイコンを最上面に表示し、どのイベントのアイコンを再背面に表示するかなど）を決定することができる。
【００４６】
（１）イベントＩＤ順
第１に、イベント情報表示制御部１４０は、各イベントのイベント情報に含まれるイベントＩＤの番号の順番（昇順又は降順）により、重なって表示される複数のアイコンの表示順を決定することができる。具体的には、イベント情報表示制御部１４０は、例えば、図４に示したような目的地情報一覧ファイルに含まれるＩＤ（目的地番号）の順番により、アイコンの表示順を決定する。具体例を挙げると、図３に示したようなイベントのうち、地図の縮尺によっては、京東タワーと下野動物園と秋葉原電気街を示すアイコンが重なって表示されるものとする。このとき、各イベントのイベントＩＤである目的地番号は、京東タワーが１０１であり、下野動物園が１０２であり、秋葉原電気街が１９９である。従って、アイコンの表示順は、京東タワーのアイコンが最上面、下野動物園のアイコンが上から２番目、秋葉原電気街のアイコンが最背面、というように決定される。
【００４７】
（２）アクセス数順
第２に、イベント情報表示制御部１４０は、ネットワークを介してイベント情報案内装置１０に接続可能な他の機器、例えば、旅行者端末２０による各イベントの選択回数（旅行者端末２０からのアクセス数）の多いイベント順に、重なって表示される複数のアイコンの表示順を決定することができる。具体的には、旅行者端末２０により各イベントが選択されると、操作ログに選択内容が排出される。イベント情報表示制御部１４０は、操作ログに排出された旅行者端末２０による選択内容に関する情報を基に、各イベントごとのアクセス数をカウントし、アクセス数の多いイベント順に、重なって表示される複数のアイコンの表示順を決定する。なお、アクセス数のカウントは、イベント情報表示制御部１４０以外の他の機能により行ってもよい。また、アクセス数のカウントの際、イベント情報案内装置１０に接続可能な全ての機器によるアクセス数により、複数のアイコンの表示順を決定してもよいし、ある特定の機器（イベント情報を表示させる機器）によるアクセス数により、複数のアイコンの表示順を決定してもよい。
【００４８】
＜案内情報選択部１５０について＞
イベント検索部１３０により検索された１又は複数のイベントのイベント情報に含まれるイベントの案内に関する案内情報の中から、特定のイベントの案内情報（アナウンス）を選択する。旅行者端末２０により中心位置情報と縮尺情報の少なくともいずれか一方が変更されると、表示範囲設定部１２０により新たに表示範囲の設定が行われ、表示範囲情報が変更されるが、案内情報選択部１５０は、このようにして表示範囲情報が変更されると、変更されるたびに案内情報を新たに選択する。すなわち、地図の表示範囲やＭＡＰスケールサイズが変更されるたびに、その都度、案内情報の選択が行われ、案内情報（旅行者にアナウンスする情報の内容）が変更される。従って、本実施形態に係るイベント情報案内装置１０によれば、旅行者端末２０の表示画面に表示された（表示範囲内に含まれる）イベントに応じた案内を行うことができる。
【００４９】
ここで、図５及び図６を参照しながら、案内情報選択部１５０による案内情報の選択方法について詳細に説明する。なお、図５及び図６は、本実施形態に係る案内情報選択部１５０の詳細な機能構成例を示すブロック図である。
【００５０】
案内情報選択部１５０は、例えば、以下の（１）〜（４）のような方法により、案内情報を選択する。
【００５１】
（１）イベントＩＤにより案内情報を選択
この場合、案内情報選択部１５０は、図５に示すように、優先度決定部１５１と、選択部１５３と、を有する。優先度決定部１５１は、イベント検索部１３０により検索されたイベントのイベント情報に含まれるイベントＩＤに基づいて、イベントの優先度を決定する。また、選択部１５３は、優先度決定部１５１により決定された優先度に基づいて、優先度の最も高いイベントの案内情報を、旅行者端末２０に表示させる案内情報として選択する。以下、（１）の方法における優先度決定部１５１によるイベントの優先度の決定方法について説明する。
【００５２】
（１）の方法における優先度決定部１５１は、各イベントのイベント情報に含まれるイベントＩＤの番号の順番（昇順又は降順）により、旅行者端末２０に案内情報を優先的に表示させる各イベントの優先度を決定することができる。具体的には、（１）の方法における優先度決定部１５１は、例えば、図４に示したような目的地情報一覧ファイルに含まれるＩＤ（目的地番号）の順番により、イベントの優先度を決定する。具体例を挙げると、図３に示したような各イベント（「京東タワー」、「下野動物園」、「浦安ドリームランド」、「秋葉原電気街」、「スタジオジビエ」）が、旅行者端末２０の表示画面に表示されている、すなわち、旅行者端末２０の表示画面に表示された地図の表示範囲内に含まれているものとする。このとき、各イベントのイベントＩＤである目的地番号は、京東タワーが１０１であり、下野動物園が１０２であり、浦安ドリームランドが１５１であり、秋葉原電気街が１９９であり、スタジオジビエが２００である。従って、（１）における優先度決定部１５１は、イベントの優先度を、京東タワー→下野動物園→浦安ドリームランド→秋葉原電気街→スタジオジビエの順に決定する。
【００５３】
優先度決定部１５１は、決定したイベントの優先度を示す優先度情報を、選択部１５３に伝送する。また、優先度決定部１５１は、決定した優先度情報を記憶部１１０に記憶させてもよい。優先度決定部１５１から優先度情報が伝送された選択部１５３は、旅行者端末２０の表示画面に表示された地図の表示範囲内に含まれているイベントのうち、優先度の最も高いイベント、上記の例では、京東タワーに関する案内情報を、旅行者端末２０に表示させる案内情報として選択する。この選択の際、選択部１５３は、イベント検索部１３０又は記憶部１１０から、イベント検索部１３０により検索されたイベント、すなわち、旅行者端末２０の表示画面に表示された地図の表示範囲内に含まれているイベントについてのイベント情報を取得し、取得したイベント情報に含まれる案内情報の中から、優先度の最も高いイベントに設定される案内情報を選択する。
【００５４】
このように、優先度決定部１５１が、旅行者端末２０の表示画面に表示された地図の表示範囲内に含まれているイベントのイベントＩＤに基づいて、各イベントの優先度を決定することにより、当該イベントＩＤがイベント情報の情報提供者（観光団体や旅行会社など）により定められているような場合には、旅行者端末２０の表示画面に表示されたイベントに応じて、当該情報提供者がアピールしたいイベントの案内を優先的に行うことができる。
【００５５】
（２）検索されたイベントのアクセス数により案内情報を選択
この場合、案内情報選択部１５０は、図５に示すように、優先度決定部１５１と、選択部１５３と、を有する。優先度決定部１５１は、１または２以上の他の機器（本実施形態では、旅行者端末２０）、又は、特定の他の機器（本実施形態では、旅行者端末２０）によるイベントの選択回数（当該イベントへのアクセス数）に基づいて、イベントの優先度を決定する。また、選択部１５３は、優先度決定部１５１により決定された優先度に基づいて、優先度の最も高いイベントの案内情報を、旅行者端末２０に表示させる案内情報として選択する。以下、（２）の方法における優先度決定部１５１によるイベントの優先度の決定方法について説明する。
【００５６】
（２）の方法における優先度決定部１５１は、ネットワークを介してイベント情報案内装置１０に接続可能な他の機器、例えば、旅行者端末２０による各イベントの選択回数（旅行者端末２０からのアクセス数）の多いイベント順に、旅行者端末２０に案内情報を優先的に表示させる各イベントの優先度を決定することができる。具体的には、例えば、旅行者端末２０により各イベントが選択されると、操作ログに選択内容が排出される。（２）の方法における優先度決定部１５１は、操作ログに排出された旅行者端末２０による選択内容に関する情報を基に、各イベントごとのアクセス数をカウントし、アクセス数の多いイベント順に、イベントの優先度を決定する。なお、アクセス数のカウントは、（２）の方法における優先度決定部１５１以外の他の機能により行ってもよい。また、アクセス数のカウントの際、イベント情報案内装置１０に接続可能な全ての機器によるアクセス数により、複数のアイコンの表示順を決定してもよいし、ある特定の機器（イベント情報を表示させる機器）によるアクセス数により、複数のアイコンの表示順を決定してもよい。
【００５７】
具体例を挙げると、図３に示したような各イベント（「京東タワー」、「下野動物園」、「浦安ドリームランド」、「秋葉原電気街」、「スタジオジビエ」）が、旅行者端末２０の表示画面に表示されている、すなわち、旅行者端末２０の表示画面に表示された地図の表示範囲内に含まれているものとする。このとき、旅行者端末２０（イベント情報案内装置１０に接続可能な全ての機器、又は、ある特定の機器（イベント情報を表示させる機器））からのアクセス数の多い順が、浦安ドリームランド→京東タワー→秋葉原電気街→スタジオジビエ→下野動物園である場合には、（２）における優先度決定部１５１は、イベントの優先度を、浦安ドリームランド→京東タワー→秋葉原電気街→スタジオジビエ→下野動物園の順に決定する。
【００５８】
優先度決定部１５１は、決定したイベントの優先度を示す優先度情報を、選択部１５３に伝送する。また、優先度決定部１５１は、決定した優先度情報を記憶部１１０に記憶させてもよい。優先度決定部１５１から優先度情報が伝送された選択部１５３は、旅行者端末２０の表示画面に表示された地図の表示範囲内に含まれているイベントのうち、優先度の最も高いイベント、上記の例では、浦安ドリームランドに関する案内情報を、旅行者端末２０に表示させる案内情報として選択する。この選択の際、選択部１５３は、イベント検索部１３０又は記憶部１１０から、イベント検索部１３０により検索されたイベント、すなわち、旅行者端末２０の表示画面に表示された地図の表示範囲内に含まれているイベントについてのイベント情報を取得し、取得したイベント情報に含まれる案内情報の中から、優先度の最も高いイベントに設定される案内情報を選択する。
【００５９】
このように、優先度決定部１５１が、旅行者端末２０の表示画面に表示された地図の表示範囲内に含まれているイベントへの、イベント情報案内装置１０へ接続可能な不特定多数の機器のアクセス数に基づいて、各イベントの優先度を決定することにより、旅行者端末２０の表示画面に表示されたイベントに応じて、表示画面上の表示地域内における人気のイベントの案内を優先的に行うことができる。また、優先度決定部１５１が、旅行者端末２０の表示画面に表示された地図の表示範囲内に含まれているイベントへの、イベント情報案内装置１０へ接続可能な特定の機器（イベント情報や案内情報を表示させる機器）のアクセス数に基づいて、各イベントの優先度を決定することにより、旅行者端末２０の表示画面に表示されたイベントに応じて、表示画面上の表示地域内における個人の嗜好に沿ったイベントの案内を優先的に行うことができる。
【００６０】
（３）予め設定された優先度により案内情報を選択
この場合、案内情報選択部１５０は、図６に示すように、優先度情報生成部１５５と、選択部１５３と、を有する。優先度情報生成部１５５は、旅行者端末２０の表示画面に表示される地図の表示範囲内に含まれる各イベントの案内情報を優先的に表示させる優先度を示す優先度情報を生成する。この優先度情報生成部１５５は、優先度情報の生成を予め（初期設定等で）行ってもよく、また、必要に応じて、優先度情報を変更してもよい。優先度情報は、例えば、イベント情報の情報提供者（観光団体や旅行会社など）により指定された優先度に基づいて生成される。具体的には、図３に示したイベントの例で説明すると、例えば、現在スタジオジビエで特別展示が行われているような場合に、優先度情報生成部１５５は、スタジオジビエの優先度が最も高くなるように優先度情報を生成することができる。優先度情報生成部１５５は、生成した優先度情報を選択部１５３に伝送する。また、優先度情報生成部１５５は、生成した優先度情報を記憶部１１０に記憶させてもよい。
【００６１】
優先度情報生成部１５５はまた、表示範囲設定部１２０による表示範囲情報の変更に応じて優先度情報を変更するようにしてもよい。このように、優先度情報生成部１５５が、表示範囲情報の変更に応じて、すなわち、旅行者端末２０の表示画面上の地図の表示範囲に含まれるイベントの変更に応じて優先度を変更することにより、地図の表示範囲や表示されているイベントに応じて優先度を変更できる。従って、イベント情報案内装置１０は、表示されているイベントに応じた案内情報を選択するという点で、より状況に応じた案内情報の提供が可能となる。
【００６２】
選択部１５３は、優先度決定部１５１から優先度情報が伝送されると、優先度情報生成部１５５により生成された優先度情報に基づいて、優先度の最も高いイベント、上記の例では、スタジオジビエに関する案内情報を、旅行者端末２０に表示させる案内情報として選択する。この選択の際、選択部１５３は、イベント検索部１３０又は記憶部１１０から、イベント検索部１３０により検索されたイベント、すなわち、旅行者端末２０の表示画面に表示された地図の表示範囲内に含まれているイベントについてのイベント情報を取得し、取得したイベント情報に含まれる案内情報の中から、優先度の最も高いイベントに設定される案内情報を選択する。
【００６３】
このように、優先度情報生成部１５５が、旅行者端末２０の表示画面に表示された地図の表示範囲内に含まれているイベントの優先度情報を生成し、選択部１５３が、生成された優先度情報に基づいて、優先度の最も高いイベントを選択することにより、当該優先度情報がイベント情報の情報提供者（観光団体や旅行会社など）により定められているような場合には、旅行者端末２０の表示画面に表示されたイベントに応じて、当該情報提供者がアピールしたいイベントの案内を優先的に行うことができる。
【００６４】
（４）旅行者端末２０によるイベントの選択に応じて案内情報を選択
この場合、案内情報選択部１５０は、イベント情報案内装置１０にネットワーク５を介して接続可能な他の機器（本実施形態では、旅行者端末２０）により特定のイベントが選択された場合に、当該他の機器により選択されたイベントに設定される案内情報を選択する。具体的には、図３に示したイベントの例で説明すると、例えば、旅行者端末２０により、表示画面に表示されているイベントの中から、下野動物園を選択（例えば、旅行者端末２０のユーザが表示画面に表示された下野動物園のアイコンをクリック）した場合に、案内情報選択部１５０は、旅行者端末２０により下野動物園というイベントが選択されたという情報を取得し、取得した情報に基づいて、旅行者端末２０により選択されたイベント（この例では、下野動物園）に関する案内情報を選択する。この選択の際、案内情報選択部１５０は、イベント検索部１３０又は記憶部１１０から、イベント検索部１３０により検索されたイベント、すなわち、旅行者端末２０の表示画面に表示された地図の表示範囲内に含まれているイベントについてのイベント情報を取得し、取得したイベント情報に含まれる案内情報の中から、優先度の最も高いイベントに設定される案内情報を選択する。
【００６５】
このように、案内情報選択部１５０が、旅行者端末２０の表示画面に表示された地図の表示範囲内に含まれているイベントの中から、旅行者端末２０により選択されたイベントに関する案内情報を選択することにより、旅行者端末２０のイベント情報案内装置１０へのアクセス時点における、旅行者端末２０のユーザである旅行者が知りたいイベントの案内をタイムリーに行うことができる。
【００６６】
＜１のイベントが複数の案内情報を有する場合＞
ここで、上記（１）〜（４）のいずれの場合にも、案内情報選択部１５０により選択された特定のイベントについてのイベント情報が複数の案内情報を含む場合には、案内情報選択部１５０は、表示範囲設定部１２０から取得した表示範囲情報に応じて、当該特定のイベントのイベント情報に含まれる複数の案内情報の中から１の案内情報を選択する。具体的には、例えば、図３に示したイベントの例で説明すると、案内情報選択部１５０が、京東タワーに関する案内情報を選択したときに、京東タワーに関する案内情報が２つあったとする。この場合、例えば、旅行者端末２０の表示画面に表示される地図の表示範囲が、京東タワーの所在地を中心位置として、ＭＡＰスケール（縮尺）が東京都内のみを表示するようなスケールであった場合には、案内情報選択部１５０は、京東タワーに関する２つの案内情報のうち、「京東タワーからは皇居（同じ地図上に表示されるイベント）が一望できます。」といった案内情報（アナウンス）を選択し、この案内情報が旅行者端末２０の表示画面に表示される。一方、地図の表示範囲が、京東タワーの所在地を中心位置として、ＭＡＰスケール（縮尺）が関東・東海地方を表示するようなスケールであった場合には、案内情報選択部１５０は、京東タワーに関する２つの案内情報のうち、「京東タワーからは富士山（同じ地図上に表示されるイベント）が一望できます。」といった案内情報（アナウンス）を選択し、この案内情報が旅行者端末２０の表示画面に表示される。
【００６７】
このように、特定の１のイベントに対して２以上の案内情報がある場合に、本実施形態に係るイベント情報案内装置１０によれば、旅行者端末２０の表示画面に表示される地図の表示範囲（中心位置や縮尺）に応じて、同一のイベントについても異なった案内情報を提供することができる。すなわち、本実施形態に係るイベント情報案内装置１０によれば、同一のイベントについても、表示されているイベントや地図の表示範囲に応じて、最適な情報案内をすることができる。
【００６８】
＜案内情報表示制御部１６０について＞
案内情報表示制御部１６０は、案内情報選択部１５０により上記のようにして選択された案内情報を、イベント情報案内装置１０にネットワーク５を介して接続可能な他の機器、すなわち、本実施形態では旅行者端末２０に表示させる。案内情報表示制御部１６０は、旅行者端末２０に表示させる案内情報を、案内情報選択部１５０から取得してもよい。また、案内情報表示制御部１６０は、案内情報選択部１５０からは、選択された案内情報を有するイベントのイベントＩＤのみを取得し、取得したイベントＩＤを有する案内情報を記憶部１１０から取得してもよい。
【００６９】
ここで、案内情報表示制御部１６０が、旅行者端末２０に案内情報を表示させる態様としては、特に限定はされないが、例えば、旅行者端末２０の表示画面のメッセージエリアに表示したり、ナビゲータ等のアニメーションに合わせて表示したり（後述する図１４を参照）することができる。
【００７０】
以上、イベント情報案内１０の機能構成について詳細に説明したが、次に、旅行者端末２０の機能構成について説明する。
【００７１】
（旅行者端末２０の機能構成）
旅行者端末２０は、本実施形態に係る端末装置の一例であり、図７に示すように、情報提供部２１０と、表示部２２０と、を主に有する。
【００７２】
情報提供部２１０は、中心位置情報及び縮尺情報を、イベント情報案内装置１０に提供する。この中心位置情報や縮尺情報は、旅行者端末２０へのユーザ（旅行者）による入力操作を通じて提供される。提供された中心位置情報及び縮尺情報は、上述したように、イベント情報案内装置１０における表示範囲の設定に用いられる。
【００７３】
表示部２２０は、イベント情報案内装置１０のイベント検索部１３０により検索されたイベントについてのイベント情報と、案内情報選択部１５０により選択された案内情報と、イベント情報案内装置１０から取得して、これらの情報を旅行者端末２０の表示画面に表示する。このようにして、イベント情報や案内情報が表示されることにより、旅行者端末２０のユーザである旅行者に対し、地図上に表示されているイベントに応じた案内がなされる。
【００７４】
以上、本実施形態に係るイベント情報案内装置及び端末装置の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００７５】
（イベント情報案内装置１０のハードウェア構成について）
続いて、図８に基づいて、本実施形態に係るイベント情報案内装置１０のハードウェア構成について、詳細に説明する。なお、図８は、本実施形態に係るイベント情報案内装置１０のハードウェア構成を示すブロック図である。
【００７６】
イベント情報案内装置１０は、主に、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０３と、ＲＡＭ（Ｒａｎｄｏｍ  Ａｃｃｅｓｓ  Ｍｅｍｏｒｙ）９０５と、ホストバス９０７と、ブリッジ９０９と、外部バス９１１と、インターフェース９１３と、入力装置９１５と、出力装置９１７と、ストレージ装置９１９と、ドライブ９２１と、通信装置９２３とを備える。
【００７７】
ＣＰＵ９０１は、演算処理装置および制御装置として機能し、ＲＯＭ９０３、ＲＡＭ９０５、ストレージ装置９１９、またはリムーバブル記録媒体９２５に記録された各種プログラムに従ってイベント情報案内装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【００７８】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００７９】
入力装置９１５は、例えば、マウス、キーボード、タッチパネル、ボタン、スイッチおよびレバーなどの操作手段である。また、入力装置９１５は、例えば、赤外線やその他の電波を利用したリモートコントロール手段（いわゆる、リモコン）であってもよいし、イベント情報案内装置１０の操作に対応した携帯電話やＰＤＡ等の外部接続機器（図示せず）であってもよい。さらに、入力装置９１５は、例えば、上記の操作手段を用いてユーザにより入力された情報に基づいて入力信号を生成し、ＣＰＵ９０１に出力する入力制御回路などから構成されている。
【００８０】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。
【００８１】
ストレージ装置９１９は、本実施形態にかかるイベント情報案内装置１０の記憶部１１０の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した画像信号データなどを格納する。
【００８２】
ドライブ９２１は、記憶媒体用リーダライタであり、イベント情報案内装置１０に内蔵、あるいは外付けされる。ドライブ９２１は、装着されている磁気ディスク、光ディスク、光磁気ディスク、または半導体メモリ等のリムーバブル記録媒体９２５に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２５に記録を書き込むことも可能である。リムーバブル記録媒体９２５は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２５は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００８３】
通信装置９２３は、例えば、ネットワーク５に接続するための通信デバイス等で構成された通信インターフェースである。通信装置９２３は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２３は、例えば、インターネットや他の通信機器との間で画像信号等を送受信することができる。また、通信装置９２３に接続されるネットワーク５は、有線または無線によって接続されたネットワーク等により構成され、例えば、インターネット、家庭内ＬＡＮ、赤外線通信、または衛星通信等であってもよい。
【００８４】
以上説明した構成により、イベント情報案内装置１０は、ネットワーク５に接続された旅行者端末２０等のクライアント機器に対して案内情報を表示させることが可能になる。
【００８５】
なお、本実施形態に係る旅行者端末２０のハードウェア構成は、イベント情報案内装置１０のハードウェア構成と実質的に同一であるので、説明を省略する。
【００８６】
以上、本実施形態に係るイベント情報案内装置１０及び旅行者端末２０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００８７】
（イベント情報案内方法の処理の流れ）
以上、本発明の第１の実施形態に係るイベント情報案内システム、さらには、当該システムに含まれるイベント情報案内装置及び端末装置の構成について詳細に説明した。次に、図９〜図１４に基づいて、このような構成を有する本実施形態に係るイベント情報案内システムにおけるイベント情報案内方法について説明する。なお、図９及び図１２は、本実施形態に係るイベント情報案内方法における処理の流れを示すフローチャートである。また、図１０及び図１３は、本実施形態に係るイベント情報案内方法に使用するイベント情報の内容の一例を示す説明図である。また、図１１及び図１４は、本実施形態に係る端末装置（旅行者端末２０）におけるイベント情報及び案内情報の表示例を示す説明図である。
【００８８】
本実施形態に係るイベント情報案内方法は、旅行中に行われ得るイベントのうち、表示画面に表示された地図情報の表示範囲内に含まれるイベントについて、当該イベントの名称及び位置情報を含むイベント情報を案内する方法である。
【００８９】
まず、案内情報を提供する前提として、イベント情報案内装置１０の記憶部１１０へイベント情報を登録（記録）する必要がある。これは、イベント情報を提供する情報提供者が有する端末等から行われる。
【００９０】
このイベント情報案内方法は、（１）表示される地図情報の中心位置を示す中心位置情報と、表示される地図情報の縮尺を示す縮尺情報とに基づいて、地図情報の表示範囲を設定する表示範囲設定ステップと、（２）地図情報の表示範囲を示す表示範囲情報と、イベント情報を記憶するイベント情報記憶部に記憶されている位置情報とに基づいて、地図情報の表示範囲内に含まれるイベントを検索するイベント検索ステップと、（３）検索されたイベントのイベント情報に含まれるイベントの案内に関する案内情報の中から、特定のイベントの案内情報を選択する案内情報選択ステップと、（４）検索されたイベントについてのイベント情報、及び、選択された案内情報を、ネットワークを介してイベント情報案内装置に接続可能な他の機器に表示させる情報表示ステップと、を含む。以下、上記（１）〜（４）の各ステップについて詳細に説明する。
【００９１】
初めに、図９〜図１１を参照しながら、上記（１）及び（２）のステップについて説明する。
【００９２】
まず、イベント情報案内装置１０が、旅行者端末２０から中心位置情報及び縮尺情報を取得する（Ｓ１０１）。次いで、イベント情報案内装置１０の表示範囲設定部１２０が、取得した中心位置情報及び縮尺情報に基づいて、旅行者端末２０の表示画面に表示させる地図情報の表示範囲を設定する（Ｓ１０３）。このステップＳ１０３が、本実施形態に係る（１）表示範囲設定ステップに該当する。さらに、イベント情報案内装置１０のイベント検索部１３０は、記憶部１１０等から各イベントの位置情報を取得する（Ｓ１０５）。
【００９３】
次に、イベント検索部１３０は、表示範囲設定部１２０等から取得した表示範囲情報と、記憶部１１０から取得した各イベントの位置情報とに基づいて、地図情報の表示範囲内に含まれるイベントを検索する（Ｓ１０７）。このステップＳ１０７が、本実施形態に係る（２）イベント検索ステップに該当する。より具体的には、イベント検索部１３０は、表示範囲設定部１２０により設定された地図情報の表示範囲内に含まれるイベントを検索する際に、各イベントの位置情報として、例えば、図１０に示したような目的地情報一覧ファイルから取得した各イベントの緯度及び経度を使用し、そのイベントの緯度及び経度と表示範囲に含まれる緯度及び経度とを比較することにより、当該イベントが表示範囲内に含まれるか否かを判断する。そして、表示範囲内に含まれるイベントがあれば、そのイベントＩＤ等により当該イベントを特定し、これを検索結果として出力する。
【００９４】
これら検索されたイベントを、例えば、図１１に示すように、アイコンとして表示画面２２１上の地図に表示する場合、イベント情報案内装置１０のイベント情報表示制御部１４０は、表示範囲２２３内に含まれるイベントのうち、アイコンが重なる複数のイベントがあるか否かを判断する（Ｓ１０９）。この判断の結果、アイコンが重なる複数のイベントがあると判断された場合には（図１１の例でいうと、アイコン２２５−１、アイコン２２５−３及びアイコン２２５−４が重なっている。）、イベント情報表示制御部１４０は、上述したような方法で、当該複数のイベントを示すアイコンの表示順を決定する（Ｓ１１１）。その結果、図１１に示すように、例えば、京東タワーを示すアイコン２２５−１が最上面、下野動物園を示すアイコン２２５−３が２番目、秋葉原電気街を示すアイコン２２５−４が最背面に表示される。また、他のアイコンと重ならない浦安ドリームランドを示すアイコン２２５−２及びスタジオジビエを示すアイコン２２５−５は、当該イベントの位置情報に対応する地図上の位置に表示される。また、図１１の例では、京東タワーというイベントが旅行者端末２０により選択されており、選択されたイベントのイベント情報が、メッセージエリア２２７に表示されている。メッセージエリア２２７には、この例では、アイコン２２７ａ、イベント名称２２７ｂ、イベントの案内情報２２７ｃ、イベントが実行される住所情報２２７ｄ、イベントの開催時間（開始時刻及び終了時刻）情報２２７ｅ、及びリンク情報（リンク先のＵＲＬ）２２７ｆが表示されている。
【００９５】
続いて、図１２〜図１４を参照しながら、上記（３）及び（４）のステップについて説明する。
【００９６】
上記ステップＳ１１１によりアイコンの表示順が決定された後に、イベント情報案内装置１０の案内情報選択部１５０は、イベント検索部１３０により検索されたイベントについて、旅行者端末２０に案内情報を優先的に表示させる各イベントの優先度を決定する（Ｓ１２１）。この決定方法の詳細については上述の通りであるので、説明を省略する。
【００９７】
次いで、案内情報選択部１５０は、上記ステップＳ１２１で決定された優先度に基づいて、優先度の最も高いイベントをイベントＩＤ等により特定し（図１３を参照）、特定されたイベントに複数のアナウンス（案内情報）が設定されているか否かを判断する（Ｓ１２３）。この判断の結果、特定された優先度の最も高いイベントにアナウンス（案内情報）が１つしか設定されていないと判断された場合には、案内情報選択部１５０は、当該優先度の最も高いイベントのアナウンスを選択する（Ｓ１２５）。このアナウンスは、例えば、イベント情報の一例である図１３に示すような目的地情報一覧ファイルから取得される。
【００９８】
一方、ステップＳ１２３の判断の結果、特定された優先度の最も高いイベントにアナウンス（案内情報）が複数設定されていると判断された場合には、案内情報選択部１５０は、表示範囲設定部１２０から表示範囲情報を取得する（Ｓ１２７）。そして、案内情報選択部１５０は、取得した表示範囲情報に応じて、複数のアナウンスの中から一のアナウンスを選択する（Ｓ１２９）。
【００９９】
以上のようにして、ステップＳ１０７で検索されたイベントのイベント情報と、ステップＳ１２５又はステップＳ１２９で選択されたアナウンス（案内情報）とを、イベント情報案内装置１０のイベント情報表示制御部１４０及び案内情報表示制御部１６０により、旅行者端末２０の表示画面に表示させる（Ｓ１３１）。このようにして表示されたイベント情報及び案内情報（アナウンス）の例を図１４に示した。
【０１００】
イベント検索部１３０により検索されたイベントに関するイベント情報及びアナウンス（案内情報）を、アイコンとして表示画面上の地図に表示する場合、図１４に示すように、表示画面２２１における地図上の表示範囲２２３に含まれるイベントに対応するアイコン２２５−１、２２５−２、２２５−３、２２５−４及び２２５−５が表示され、さらに、ナビゲータ等のアニメーション２２９も表示されている。このアニメーション２２９は、上記のようにして選択されたアナウンス（案内情報）を表示するためのものである。この場合、表示範囲２２３が、京東タワーを中心位置として、首都圏（東京近郊）が表示されているため、アナウンス２３１として、「京東タワーからは皇居（同じ地図上に表示されるイベント）が一望できます。」といった案内情報が選択されている。また、案内情報の表示方法としては、図１４に示すようなアニメーション２２９による表示以外にも、例えば、図１５に示すように、メッセージエリア２２７内に、アナウンス２３３として、例えば、「京東タワーからは皇居（同じ地図上に表示されるイベント）が一望できます。」といった案内情報を表示してもよい。
【０１０１】
また、図１４の例では、京東タワーというイベントが案内情報選択部１５０により選択されており、選択されたイベントのイベント情報が、メッセージエリア２２７に表示されている。メッセージエリア２２７には、この例では、アイコン２２７ａ、イベント名称２２７ｂ、イベントの案内情報２２７ｃ、イベントが実行される住所情報２２７ｄ、イベントの開催時間（開始時刻及び終了時刻）情報２２７ｅ、及びリンク情報（リンク先のＵＲＬ）２２７ｆが表示されている。
【０１０２】
また、上記ステップＳ１３１でイベント情報及び案内情報が表示された後に、イベント情報案内装置１０は、表示範囲情報が変更されたか否かを判断する（Ｓ１３３）。この判断の結果、表示範囲情報が変更されていないと判断された場合には処理を終了し、表示範囲情報が変更されていると判断された場合には、再びステップＳ１０１〜ステップＳ１３１の処理を行う。
【０１０３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１０４】
【図１】本発明の第１の実施形態に係るイベント情報案内システムの全体構成を示す説明図である。
【図２】同実施形態に係るイベント情報案内装置の機能構成を示すブロック図である。
【図３】同実施形態に係るイベント情報の内容の一例を示す説明図である。
【図４】同実施形態に係るイベント情報の内容の一例を示す説明図である。
【図５】同実施形態に係る案内情報選択部の詳細な機能構成例を示すブロック図である。
【図６】同実施形態に係る案内情報選択部の詳細な機能構成例を示すブロック図である。
【図７】同実施形態に係る端末装置の機能構成を示すブロック図である。
【図８】同実施形態に係るイベント情報案内装置のハードウェア構成を示すブロック図である。
【図９】同実施形態に係るイベント情報案内方法における処理の流れを示すフローチャートである。
【図１０】同実施形態に係るイベント情報案内方法に使用するイベント情報の内容の一例を示す説明図である。
【図１１】同実施形態に係る端末装置におけるイベント情報及び案内情報の表示例を示す説明図である。
【図１２】同実施形態に係るイベント情報案内方法における処理の流れを示すフローチャートである。
【図１３】同実施形態に係るイベント情報案内方法に使用するイベント情報の内容の一例を示す説明図である。
【図１４】同実施形態に係る端末装置におけるイベント情報及び案内情報の表示例を示す説明図である。
【図１５】同実施形態に係る端末装置におけるイベント情報及び案内情報の別の表示例を示す説明図である。
【符号の説明】
【０１０５】
１    イベント情報案内システム
１０    イベント情報案内装置
２０    旅行者端末
１１０    記憶部
１２０    表示範囲設定部
１３０    イベント検索部
１４０    イベント情報表示制御部
１５０    案内情報選択部
１５１    優先度決定部
１５３    選択部
１５５    優先度情報生成部
１６０    案内情報表示制御部
２１０    情報提供部
２２０    表示部
【図１】
2009211633.tif 000003
【図２】
2009211633.tif 000004
【図３】
2009211633.tif 000005
【図４】
2009211633.tif 000006
【図５】
2009211633.tif 000007
【図６】
2009211633.tif 000008
【図７】
2009211633.tif 000009
【図８】
2009211633.tif 000010
【図９】
2009211633.tif 000011
【図１０】
2009211633.tif 000012
【図１１】
2009211633.tif 000013
【図１２】
2009211633.tif 000014
【図１３】
2009211633.tif 000015
【図１４】
2009211633.tif 000016
【図１５】
2009211633.tif 000017